(57)【特許請求の範囲】
【請求項１】
フランジ状の底壁（２）から起立する周壁（４）上面開口を、剥離可能なシール材で形成された閉塞材（５）で取外し可能に閉塞して倒立可能に構成するとともに、底壁（２）から支持筒（６）を垂下して正立可能に構成した液体収納容器体（１）と、異種材収納筒（２０）とを備え、
液体収納容器体（１）は、底壁（２）内周縁部に周壁（１１）が上下に貫設され、底壁（２）より上方の周壁部分を構成する上方筒部（１１ａ）内部に内向きフランジ（１４）を介して、下方凸の円錐板で下面を閉塞された弁筒（１５）が垂下され、内向きフランジ（１４）に弁孔（１６）が設けられた弁孔付き嵌合筒（１０）を一体に備え、
異種材収納筒（２０）は、弁孔付き嵌合筒（１０）内面へ周壁（２１）が上下動自在に水密に嵌合され、かつ該周壁（２１）上端部が、円錐台状の肩部２４を介して、上部内面が前記弁筒（１５）外面へ下方から水密に嵌合可能な筒状弁部（２５）に形成され、周壁（２１）下面開口が閉塞材（２１ｃ）で取外し可能に閉塞されてなり、
嵌合筒（１０）と前記異種材収納筒（２０）とのそれぞれの少なくとも一部にネジ部を設けて、該異種材収納筒（２０）を前記嵌合筒（１０）へ螺合させ、
前記液体収納容器体（１）を倒立させて、前記異種材収納筒（２０）を上動させることにより、前記筒状弁部（２５）を前記弁筒（１５）から上方へ離間させて開弁させることで、異種材収納筒（２０）内の内容物が前記弁孔（１６）を介して前記液体収納容器体（１）内へ落下可能に設け、
さらに前記異種材収納筒（２０）を下動させ、前記筒状弁部（２５）を前記弁筒（１５）へ嵌合させることで閉弁させて、前記液体収納容器体（１）を正立させることにより、該液体収納容器体（１）内の液体と異種材収納筒（２０）内の内容物との混合物を、前記閉塞材（５）取外し後の液体収納容器体周壁（４）上面開口から取出し可能に設けた
ことを特徴とする２種材混合容器。
【請求項２】
前記異種材収納筒（２０）の閉塞材（２１ｃ）は、開口面から剥離可能なシール材から形成されていることを特徴とする請求項１記載の２種材混合容器。
【発明の詳細な説明】
【技術分野】
【０００１】
本発明は、粉体と液体あるいは異種液体同士等のように２種の異なる内容物を、使用前は分離収納可能で、使用時にはこれら２種を混合可能な２種材混合容器に関する。
【背景技術】
【０００２】
２種の異なる内容物を使用時に混合可能な２種材混合容器として、第１容器体の口頸部より有底の第２容器体を上方引抜き可能に垂設するとともに、その第２容器体の底壁の一部を弱化線で囲って、この弱化線内方の底壁部分を、第１容器体内に上方抜出し不能に内装した中栓に固着し、該底壁部分を除く第２容器体部分を引き上げることで、第２容器体内収納物が中栓に穿設した流下孔から第１容器体内へ流下可能に形成したものが知られている(特許文献１)。
【特許文献１】特開２００６−２０６１７４号公報
【発明の開示】
【発明が解決しようとする課題】
【０００３】
しかしながら特許文献１記載の発明では、第１の液体を収納する容器本体と、容器本体の口頸部から垂下された垂下筒と、第２液体収納容器と、該容器の蓋体との４つの部材が必要であり、しかも第２液体収納容器の低壁に弱化線を設けて、弱化線内方の底壁部分を垂下筒の底壁に固着しなければならず、したがって、部品点数が多く、構成が複雑であることから金型も複雑となって高価なものとなり、さらに、組立ても煩雑であるため、製品コストが高いものとなっていた。
【０００４】
また、液体の充填工程も、第１液体を容器本体に充填し、第２液体を第２液体収納容器に充填した後閉蓋して、容器本体の口頸部へ螺合させなければならず煩雑なものとなっていた。
【０００５】
さらに、使用時においても、第２液体収納容器を回動させて弱化線を破断させた後、容器本体から螺脱させる必要があることから面倒なものとなっていた。
【０００６】
さらに、使用時において、第２液体収納容器を螺脱させた後も容器本体内には有底の垂下筒が垂下状態にあるため、容器本体を傾けて混合液を注出しても容器本体内に混合液が残存することが避けられなかった。
【０００７】
本発明の主たる目的は、部品点数が少なく、構成が簡素で、簡素な金型を使用可能で、かつ組立ても容易な製品コストが低い２種材混合容器を提供することにある。
【０００８】
本発明の他の目的は、液体や粉体等の内容物の充填が容易な２種材混合容器を提供することにある。
【０００９】
本発明のさらなる他の目的は、使用時において、容器からの内容物の注出が容易な２種混合容器を提供することにある。
【００１０】
本発明のさらなる他の目的は、残量をなくすことが可能な２種材混合容器を提供することにある。
【課題を解決するための手段】
【００１１】
本発明は、フランジ状の底壁２から起立する周壁４上面開口を、剥離可能なシール材で形成された閉塞材５で取外し可能に閉塞して倒立可能に構成するとともに、底壁２から支持筒６を垂下して正立可能に構成した液体収納容器体１と、異種材収納筒２０とを備え、
液体収納容器体１は、底壁２内周縁部に周壁１１が上下に貫設され、底壁２より上方の周壁部分を構成する上方筒部１１ａ内部に内向きフランジ１４を介して、下方凸の円錐板で下面を閉塞された弁筒１５が垂下され、内向きフランジ１４に弁孔１６が設けられた弁孔付き嵌合筒１０を一体に備え、
異種材収納筒２０は、弁孔付き嵌合筒１０内面へ周壁２１が上下動自在に水密に嵌合され、かつ該周壁２１上端部が、円錐台状の肩部２４を介して、上部内面が前記弁筒１５外面へ下方から水密に嵌合可能な筒状弁部２５に形成され、周壁２１下面開口が閉塞材２１ｃで取外し可能に閉塞されてなり、
嵌合筒１０と前記異種材収納筒２０とのそれぞれの少なくとも一部にネジ部を設けて、該異種材収納筒２０を前記嵌合筒１０へ螺合させ、
前記液体収納容器体１を倒立させて、前記異種材収納筒２０を上動させることにより、前記筒状弁部２５を前記弁筒１５から上方へ離間させて開弁させることで、異種材収納筒２０内の内容物が前記弁孔１６を介して前記液体収納容器体１内へ落下可能に設け、
さらに前記異種材収納筒２０を下動させ、前記筒状弁部２５を前記弁筒１５へ嵌合させることで閉弁させて、前記液体収納容器体１を正立させることにより、該液体収納容器体１内の液体と異種材収納筒２０内の内容物との混合物を、前記閉塞材５取外し後の液体収納容器体周壁４上面開口から取出し可能に設けた
ことを特徴とする。
【００１３】
前記異種材収納筒２０の閉塞材２１ｃは、開口面から剥離可能なシール材から形成されていることを特徴とする。
【発明の効果】
【００１７】
本発明の２種材混合容器は、液体収納容器体と嵌合筒と異種材収納筒との３つの部品からなるもので、したがって部品点数を少なくすることができる。
また、本発明は、２種材の混合時における液体収納容器体と異種材収納筒との連通および混合前と混合後の連通遮断は弁手段を使用するため構成が簡素であり、したがって、組立てが容易であると共に、簡素な金型を使用することができコスト削減が可能となる。
【００１８】
さらに、本発明は、内容物の充填は異種収納筒に充填して取外し可能な閉塞材で閉塞した後、これを嵌合筒内へ嵌合させ、ついで液体収納容器体を正立させて該容器体に液体を充填後、取外し可能な閉塞材で閉塞するだけであるから充填が容易である。
【００１９】
さらに、本発明は、使用時においては、倒立状態で弁手段を開閉させた後、液体収納容器体を正立させて閉塞材を取り外すだけであるから、使用時の取り扱いが容易である。    
【００２０】
さらに、本発明は、閉塞材は開口面から剥離可能なシート材から形成されているため、異種収納筒と液体収納容器体とへの充填および液体収納容器からの混合物の取出しをさらに容易にすることができる。
【００２１】
さらに、本発明は、注出は正立状態で行うため、混合物の流出経路には何等の障害物もなく、したがって液体収納容器体内に混合物が残ることがない。
【００２２】
さらに、本発明は、液体収納容器体の底壁から支持筒を垂下したので、底壁に嵌合筒を設けても液体収納容器体を安定して正立させることができる。
【発明を実施するための最良の形態】
【００２３】
以下、本発明を、図面に示す実施の形態を参照しながら説明する。
図１は本発明に係る２種混合容器の正立状態を示すものであり、同図において、１は液体収納容器体で、中央部に貫通孔が形成された底壁２の外周縁から周壁４が立設されている。周壁４の上面開口は剥離可能なシール材５によって閉塞されている。
【００２４】
周壁４はその径が上方に向かうにつれて漸次増大するカップ形に形成されている。また、底壁２の外周縁から、後述する嵌合筒１０下部を囲むように支持筒６が垂下されている。
【００２５】
１０は嵌合筒で、底壁２の貫通孔へ周壁１１を上下に貫設させている。底壁２より上方の周壁１１部分(以下、上方筒部１１ａという。)の上端は液体収納容器体１の上下方向中間部に達する長さに形成されている。また、底壁２より下方の周壁１１部分(以下、下方筒部１１ｂという。)は支持筒６より短い長さに形成されている。
【００２６】
周壁１１の上方筒部１１ａは肩部１２を介して下方筒部１１ｂより小内径に形成されている。また、上方筒部１１ａの上端部は円錐台状の肩部を介して小内径部１３に形成されている。
【００２７】
小内径部１３の上端には内向きフランジ１４が形成されており、内向きフランジ１４内周から底面が下方に尖った円錐形状の弁筒１５が垂下されている。内向きフランジ１４には複数の弁孔１６が周方向に等間隔をおいて形成されている。一方、周壁１１の下方筒部１１ｂ内面には雌ネジ部１２ｂが形成されている。
【００２８】
２０は異種材収納筒で、周壁２１が嵌合筒１０内面へ上下動自在に嵌合されている。周壁２１の下部外面には雄ネジ部２２が形成されていて、雌ネジ部１２ｂへ螺合されている。雄ネジ部２２より上方の周壁２１部分は肩部２３を介して雄ネジ部２２より小内径に形成されている。
【００２９】
雄ネジ部２２の下端には、外周面に凹凸からなる滑り止め部２１ａが形成された鍔部２１ｂが形成されていて、鍔部２１ｂは嵌合筒１０の下方筒部１１ｂ下端に当接されている。鍔部２１ｂの下面には雄ネジ部２２の下面開口を閉塞する剥離可能なシール材２１ｃが接着されている。
【００３０】
また、周壁２１の上端部は円錐台状の肩部２４を介して小内径の弁部２５に形成されており、弁部２５は弁筒１５外周面へ下方から水密に嵌合されている。なお、周壁２１の肩部２３上面は嵌合筒１０の肩部１２下面へ水密に当接している。
【００３１】
また、嵌合筒１０の上方筒部１１ａの上下方向中間部内面には環状突条１７が周設されており、環状突条１７は異種材収納筒２０の雄ネジ部２２より上方の周壁２１部分外面へ常時水密に摺接可能になっている。
【００３２】
次に作用について説明する。
図１は２種材混合容器の正立状態を示すもので、液体収納容器体１には液体が、また、異種材収納筒２０には粉体が、それぞれ収納されている。この状態では異種材収納筒２０の雄ネジ部２２は嵌合筒１０の雌ネジ部１２ｂに全長がネジ込まれていて、異種材収納筒２０の弁部２５が弁筒１５外周面へ水密に嵌合されており、また、上述のように、異種材収納筒２０は嵌合筒１０へ水密に嵌合されているから、液体が異種材収納筒２０内および異種材収納筒２０と嵌合筒１０との間へ浸入することがない。
【００３３】
液体と粉体とを混合させるには、まず液体収納容器体１を倒立させた後、異種材収納筒２０を回して弁部２５を弁筒１５から上方へ離間させる。すると図２に示すように、異種材収納筒２０内の粉体が弁孔１６を介して液体内へ落下する。次いで図３に示すように液体収納容器体１を正立させて、液体と紛体とを混合させた後、液体収納容器体１からシール材５を剥せばよい。
【００３４】
このように弁部２５を弁筒１５に対して接触・離間させることにより、弁孔１６を開閉することができ、よってこれら弁部２５、弁筒１５および弁孔１６は弁手段を構成する。
【００３５】
組立ては、次のようにして行う。まず、異種材収納筒２０の底面開口をシール材２１ｃまたは蓋体で閉塞した後、該筒内へ紛体または液体を収納して、これを嵌合筒１０内へ嵌合させる。次いで液体収納容器体１を正立させて、該筒内へ液体を収納した後、シール材５で液体収納容器体１の上面開口を閉塞する。あるいは、嵌合筒１０へ異種材収納筒２０を嵌合させた後、該収納筒２０へ粉体または液体を収納して、シール材２１ｃで閉塞し、次いで容器体を正立させた後、この容器体内へ液体を収納して、シール材５で閉塞することもできる。
【００３６】
なお、上記では、弁孔１６は内向きフランジ１４に形成されているが、嵌合筒１０の周壁１１に形成してもよい。
【図面の簡単な説明】
【００３７】
【図１】本発明に係る２種混合容器の混合前の正立状態を示すもので、右半部を断面にした正面図である。
【図２】２種混合容器の混合時における倒立状態を示す図１相当図である。
【図３】２種混合容器の混合後の正立状態を示す図１相当図である。
【符号の説明】
【００３８】
１  液体収納容器体
２  底壁
５  閉塞材
１０  嵌合筒
１１  周壁
１４  内向きフランジ
１５  弁筒
１６  弁孔
２０  異種材収納筒
２５  筒状弁部
【図１】
0005158687.tif 000002
【図２】
0005158687.tif 000003
【図３】
0005158687.tif 000004